【手続補正書】
【提出日】平成15年11月27日(2003.11.27)
【手続補正１】
【補正対象書類名】明細書
【補正対象項目名】全文
【補正方法】変更
【補正の内容】
【発明の名称】再生装置及び再生方法
【特許請求の範囲】
【請求項１】蓄積媒体に記録された情報を再生する再生装置において、
前記蓄積媒体の物理的特徴に基づいて、前記蓄積媒体が少なくとも２種類の蓄積媒体のうちのどの蓄積媒体であるかを識別する蓄積媒体識別手段と、
前記蓄積媒体に記録された情報が少なくとも２種類の蓄積媒体のそれぞれに対応した暗号方式で暗号化されているかどうかを検出する暗号方式検出手段と、
前記暗号方式検出手段により検出された暗号方式が前記蓄積媒体識別手段により識別された蓄積媒体の種類に対応した暗号方式と異なる場合に情報の再生を停止する再生制限手段と、
を有することを特徴とする再生装置。
【請求項２】請求項１に記載の再生装置において、
前記蓄積媒体識別手段は、前記蓄積媒体が記録可能な蓄積媒体であるか記録不可能な蓄積媒体であるかを識別することを特徴とする再生装置。
【請求項３】請求項２に記載の再生装置において、
前記蓄積媒体識別手段は、前記蓄積媒体の反射率に基づいて前記蓄積媒体の種類を識別することを特徴とする再生装置。
【請求項４】請求項２に記載の再生装置において、
前記蓄積媒体識別手段は、前記蓄積媒体の蓄積媒体のランド、グルーブの構造に基づいて前記蓄積媒体の種類を識別することを特徴とする再生装置。
【請求項５】請求項１に記載の再生装置において、
前記暗号方式検出手段は、前記蓄積媒体に記録された情報が記録可能な蓄積媒体に対応した暗号方式で暗号化されているのか記録不可能な蓄積媒体に対応した暗号方式で暗号化されているのかを検出する手段であり、
前記再生制限手段は、前記蓄積媒体が記録可能な蓄積媒体であると識別されて前記蓄積媒体に記録された情報が記録不可能な蓄積媒体に対応した暗号方式で暗号化されていると検出された場合と、前記蓄積媒体が記録不可能な蓄積媒体であると識別されて前記蓄積媒体に記録された情報が記録可能な蓄積媒体に対応した暗号方式で暗号化されていると検出された場合に情報の再生を停止する手段であることを特徴とする再生装置。
【請求項６】蓄積媒体に記録された情報を再生する再生方法において、
前記蓄積媒体の物理的特徴に基づいて、前記蓄積媒体が少なくとも２種類の蓄積媒体のうちのどの蓄積媒体であるかを識別し、
前記蓄積媒体に記録された情報が少なくとも２種類の蓄積媒体のそれぞれに対応した暗号方式で暗号化されているかどうかを検出し、
前記検出された暗号方式が前記識別された蓄積媒体の種類に対応した暗号方式と異なる場合には、情報の再生を停止することを特徴とする再生方法。
【請求項７】請求項６に記載の再生方法において、
前記蓄積媒体が記録可能な蓄積媒体であるか記録不可能な蓄積媒体であるかを識別することを特徴とする再生方法。
【請求項８】請求項７に記載の再生方法において、
前記蓄積媒体の反射率に基づいて前記蓄積媒体の種類を識別することを特徴とする再生方法。
【請求項９】請求項７に記載の再生方法において、
前記蓄積媒体の蓄積媒体のランド、グルーブの構造に基づいて前記蓄積媒体の種類を識別することを特徴とする再生方法。
【請求項１０】蓄積媒体に記録された情報を再生する再生方法において、
前記蓄積媒体の物理的特徴に基づいて、前記蓄積媒体が少なくとも２種類の蓄積媒体のうちのどの蓄積媒体であるかを識別し、
前記蓄積媒体に記録された情報が記録可能な蓄積媒体に対応した暗号方式で暗号化されているのか記録不可能な蓄積媒体に対応した暗号方式で暗号化されているのかを検出し、
前記蓄積媒体が記録可能な蓄積媒体であると識別されて前記蓄積媒体に記録された情報が記録不可能な蓄積媒体に対応した暗号方式で暗号化されていると検出された場合と、前記蓄積媒体が記録不可能な蓄積媒体であると識別されて前記蓄積媒体に記録された情報が記録可能な蓄積媒体に対応した暗号方式で暗号化されていると検出された場合に情報の再生を停止することを特徴とする再生方法。
【発明の詳細な説明】
【０００１】
【発明の属する技術分野】
本発明は著作権保護に関し、正規に販売あるいは配布された蓄積媒体および正規に記録された蓄積媒体は再生可能とし、違法に複製された媒体は再生不可とする再生技術に関する。
【０００２】
【従来の技術】
ビデオディスク、ディジタルＶＴＲ、ディジタル放送の受信装置などにより得られる高画質のビデオ信号に対する著作権保護を確実に行うようにしたビデオ信号処理装置や、ビデオ信号処理方法、記録媒体に関する技術については、例えば、特開平１−１７８６５６号公報に記載されている。
【０００３】
【発明が解決しようとする課題】
前記公報には世代管理情報を用いた複製防止技術が示されている。しかし、違法に作成された蓄積媒体の再生を不可とする技術にまでは言及されていない。
【０００４】
本発明の目的は、違法に作成された蓄積媒体については視聴できないようにし、正規に作成され販売あるいは配布された蓄積媒体、あるいは正規の方法に従い記録した蓄積媒体については再生し視聴することのできる様にした技術を示し、これらの技術を用いた再生装置を提供することである。
【０００５】
【課題を解決するための手段】
本発明では、再生する蓄積媒体が少なくとも２種類の蓄積媒体のうちのどの蓄積媒体であるかを識別し、蓄積媒体に記録された情報が少なくとも２種類の蓄積媒体のそれぞれに対応した少なくとも２種類の暗号方式で暗号化されているかどうかを検出し、検出された暗号方式が識別された蓄積媒体の種類に対応した暗号方式と異なる場合に情報の再生を停止することを特徴とする。これにより、違法に複製された蓄積媒体を検出した時には視聴できないようにできる。
【０００６】
さらに、本発明では、再生する蓄積媒体が記録可能な蓄積媒体であるか記録不可能な蓄積媒体であるかを識別し、蓄積媒体に記録された情報が記録可能な蓄積媒体に対応した暗号方式で暗号化されているか記録不可能な蓄積媒体に対応した暗号方式で暗号化されているかを検出し、蓄積媒体が記録可能な蓄積媒体であると識別されて蓄積媒体に記録された情報が記録不可能な蓄積媒体に対応した暗号方式で暗号化されていると検出された場合と、蓄積媒体が記録不可能な蓄積媒体であると識別されて蓄積媒体に記録された情報が記録可能な蓄積媒体に対応した暗号方式で暗号化されていると検出された場合に情報の再生を停止することを特徴とする。これにより、記録可能な蓄積媒体から記録不可能な蓄積媒体へ、または記録不可能な蓄積媒体から記録可能な蓄積媒体へ何らかの方法により違法に複製された蓄積媒体を検出した時には視聴できないようにできる。
【０００７】
【発明の実施の形態】
以下、本発明の実施の形態について図面を用いて詳細に説明する。
図１は本発明に係る再生装置の一実施例を示す図である。図１において、１０は蓄積媒体、２０は蓄積媒体識別処理回路、３０は再生信号処理回路、４０は暗号方式検出処理回路、５０は再生制限処理回路、６０は出力端子である。図１に示す実施例は一般の家庭で使用されるＤＶＤ−ＲＯＭドライブ装置、ＤＶＤ−ＲＡＭドライブ装置、またはＤＶＤ−ＲＯＭとＤＶＤ−ＲＡＭ両方ともに再生可能なドライブ装置を想定したものである。
【０００８】
蓄積媒体１０は、例えばＤＶＤ−ＲＯＭディスクのような記録不可能な蓄積媒体か、あるいはＤＶＤーＲＡＭディスクのような記録可能な蓄積媒体である。
蓄積媒体識別処理回路２０は、蓄積媒体１０に記録されている媒体識別情報とは別に物理的に媒体の種類を直接検出する。射出成形により作成した直接記録のできない媒体と直接記録のできる媒体では、情報の１、０を示すビットの反射率が蓄積媒体の種類によって各々異なったり、直接記録可能媒体では記録のためのトラッキングやアドレスのためにディスクにランドやグルーブが作られていたり、ランドとグルーブの境界が変調されていたり、あるいはアドレスの付け方が異なっていたりするため物理的に媒体を識別することが可能である。
【０００９】
蓄積媒体識別処理回路２０で検出された蓄積媒体識別データは、再生制限処理回路５０に転送される。また、蓄積媒体１０に記録されている主信号であるビット圧縮された映像信号、音声信号は蓄積媒体識別処理回路２０を介して、再生信号処理回路３０に転送される。
【００１０】
再生信号処理回路３０は、蓄積媒体１０に記録されている主信号であるビット圧縮された映像信号、音声信号を再生し、その再生データを暗号方式検出処理回路４０と再生制限処理回路５０に転送する。
【００１１】
蓄積媒体１０が記録不可能な蓄積媒体であれば、それに対応した蓄積不可能媒体用暗号方式が、蓄積媒体１０の暗号方式として適用されている。また、蓄積媒体１０が記録可能な蓄積媒体であれば、それに対応した蓄積可能媒体用暗号方式が、蓄積媒体１０の暗号方式として適用されている。
例えば、記録可能な蓄積媒体には複写コピー１回可能のような複写世代管理がある暗号方式など、記録不可能な蓄積媒体とは異なる暗号方式が適用される。
【００１２】
暗号方式検出処理回路４０は、蓄積媒体１０に記録されている主信号に含まれる暗号方式が、蓄積可能媒体用暗号方式であるか、蓄積不可能媒体用暗号方式であるかを検出し、暗号方式検出データとして、再生制限処理回路５０に転送される。
【００１３】
再生制限処理回路５０は、蓄積媒体識別処理回路２０で検出された蓄積媒体識別データと、暗号方式検出処理回路４０で検出された暗号方式検出データとを比較する。図２に、この比較の判断基準を示す。もし、記録媒体識別データが記録可能蓄積媒体で、暗号方式検出データが記録不可能蓄積媒体用暗号方式ならば、それは何らかの違法複製が行われた蓄積媒体と判断され、出力端子６０からの再生データの出力が停止される。もし、記録媒体識別データが記録可能蓄積媒体で、暗号方式検出データが記録可能蓄積媒体用暗号方式ならば、それは違法複製が行われた蓄積媒体と判断されず、正常に出力端子６０から再生データが出力される。
【００１４】
もし、記録媒体識別データが記録不可能蓄積媒体で、暗号方式検出データが記録不可能蓄積媒体用暗号方式ならば、それは違法複製が行われた蓄積媒体と判断されず、正常に出力端子６０から再生データが出力される。また、もし、記録媒体識別データが記録不可能蓄積媒体で、暗号方式検出データが記録可能蓄積媒体用暗号方式ならば、それは何らかの違法複製が行われた蓄積媒体と判断し、出力端子６０からの再生データの出力が停止される。
【００１５】
なお、本実施例では、例えばＤＶＤ−ＲＯＭとＤＶＤ−ＲＡＭの二種類の蓄積媒体を例に挙げたが、それ以外の蓄積媒体を扱う場合も、同様に蓄積媒体識別データと暗号方式検出データを比較することで、違法複製されたと判断された蓄積媒体の再生を停止することができる。
【００１６】
なお、本実施例では、暗号検出処理回路４０、再生制限処理回路５０をハードウエアで実現したが、ソフトウエアであっても問題なく、違法複製されたと判断された蓄積媒体の再生を停止することができる。
【００１７】
図３は本発明に係る再生装置の一実施例を示す図である。図３において、１０は蓄積媒体、２０は蓄積媒体識別処理回路、３０は再生信号処理回路、４０は暗号方式検出処理回路、５０は再生制限処理回路、７０は暗号復号処理回路、８０は伸長信号処理回路、９０は出力端子である。図３に示す実施例は、ＤＶＤ−ＲＯＭドライブ装置、ＤＶＤ−ＲＡＭドライブ装置、またはＤＶＤ−ＲＯＭとＤＶＤ−ＲＡＭ両方ともに再生可能なドライブ装置を備えた映像・音声再生装置を想定したものである。
【００１８】
図３に示す映像・音声再生装置は、蓄積媒体１０、蓄積媒体識別処理回路２０、再生信号処理回路３０、暗号方式検出処理回路４０、再生制限処理回路５０は、図１と同じであり、それに暗号復号処理回路７０、伸長信号処理回路８０、出力端子９０をその後段に付け足した構成をとる。
【００１９】
前記実施例と同様に違法複製されたと判断された蓄積媒体１０の再生データは、再生制限処理回路５０で、停止され、それより後段へは、再生データが伝わらない。
【００２０】
暗号方式検出処理回路４０は、検出した暗号方式データを再生制限処理回路５０へ転送するだけでなく、暗号復号処理回路７０にも転送する。
暗号復号処理回路７０は、暗号方式検出処理回路４０で検出された暗号方式データに対応した暗号方式で暗号を復号し、伸長信号処理回路８０に転送する。
伸長信号処理回路８０は、圧縮信号処理方式としては、例えばＭＰＥＧ２（Ｍｏｔｉｏｎ  Ｐｉｃｔｕｒｅ  Ｅｘｐｅｒｔｓ  Ｇｒｏｕｐ  Ｐｈａｓｅ２）を使用し、伸長されたデータは、映像・音声出力データとして、出力端子９０から出力される。
【００２１】
なお、再生制限処理回路５０は、暗号復号処理回路７０の後段で伸長信号処理８０の前段に配置しても、違法複製されたと判断された蓄積媒体１０の再生を停止することができる。また、再生制限処理回路５０は、暗号復号処理回路８０の後段で出力端子９０の前段に配置してもよい。
【００２２】
なお、本実施例では、暗号復号処理７０、伸長復号処理回路８０をハードウエアで実現したが、ソフトウエアであっても問題はなく、違法複製されたと判断された蓄積媒体の再生を停止することができる。
【００２３】
【発明の効果】
本発明によれば、違法に複製された蓄積媒体を検出した時には視聴できないようにできる。
【００２４】
さらに、本発明によれば、記録可能な蓄積媒体から記録不可能な蓄積媒体へ、または記録不可能な蓄積媒体から記録可能な蓄積媒体へ何らかの方法により違法に複製された蓄積媒体を検出した時には視聴できないようにできる。
【図面の簡単な説明】
【図１】蓄積媒体再生装置のブロック図。
【図２】蓄積媒体識別データと暗号方式検出データにより再生の可否を示した図。
【図３】蓄積媒体再生装置のブロック図。
【符号の説明】
１０・・・蓄積媒体、２０・・・蓄積媒体識別処理回路、３０・・・再生信号処理回路、４０・・・暗号方式検出処理回路、５０・・・再生制限処理回路、６０、９０・・・出力端子、７０・・・暗号復号処理回路、８０・・・伸長復信号処理回路。